(57)【要約】【課題】額の裏板押え具であって、押え片の方向を９０度回転しても係止溝をなめらかに滑動し、このため押え具の額縁への嵌め込みが容易であり、額の製造が簡素化される。【解決手段】押え基部１と、横方向に伸長された押え片２と、押え基部１の裏面３に連結片４を介して連結された係止片５とを備え、係止片５の頂面１０に押え片２に沿った突起片１１およびこれとは直角方向の突起片１１ａとを交差して設け、かつ突起片１１、１１ａと裏面３との間にすき間１４を設けて構成される。【選択図】  図１  
2005253502.tif 000002
【特許請求の範囲】
【請求項１】
額縁裏側の両縁から対向して立ち上がった立ち上がり片と、この立ち上がり片の両先端を内側に折り曲げてなる両端片とによって囲まれて形成された係止溝に嵌め込んで額縁に取り付けられ、額裏板を押える額の裏板押え具であって、押え基部と、この押え基部から横方向に伸長された押え片と、押え基部裏面に連結片を介して連結された係止片とを備え、係止片を係止溝に嵌め込んで額縁に取り付ける額の裏板押え具において、前記係止片の頂面にそれぞれ、押え片に沿った突起片およびこの押え片とは直角方向に対称の突起片が交差して設けられ、かつこれら突起片と、押え基部裏面との間にはすき間が形成されてなり、このすき間に立ち上がり片の両端片を嵌め込むことにより係止片を係止溝に取り付けることを特徴とする額の裏板押え具。
【請求項２】
請求項１において、前記突起片はそれぞれ連結片をはさんで交差する請求項１に記載の額の裏板押え具。
【発明の詳細な説明】
【技術分野】
【０００１】
本発明は写真、絵画、書、色紙等の装飾品用額の裏側に当てがって裏板を押さえつける、額の裏板押え具に係り、特に、方向を９０度回転してもなめらかに滑動し、このため押え具の額縁への嵌め込みが容易であり、額の製造が簡素化される額の裏板押え具に関する。
【背景技術】
【０００２】
写真、絵画、書、色紙等の装飾品は通常、額に納められ、裏側から裏板を当てがって押え具で裏板を押さえつけることにより額内に安定に保持される。
【０００３】
この種の裏板押え具として従来、便宜上、本発明にかかる図１および図２を用いて説明すると、裏板押え片Ａは押え基部１と、この押え基部１から横方向に伸長された押え片２と、押え基部１の裏面３に連結片４を介して連結された係止片５とを備えて構成される。
【０００４】
上述構成からなる裏板押え片Ａは図６、７を用いて説明すると、係止片５を係止溝６に嵌め込んで額縁７に取り付け、額８の裏板９を押えつけて使用に供される。
【０００５】
しかし、この種の裏板押え片Ａは係止片５の頂面１０に図示しないが、押え片２に沿った突起片１１のみが設けられ、この突起片１１の直角方向には対称の突起片ではなく、ブレーキの役目をする突起片を設けて構成される。
【０００６】
したがって、図９に示されるように、裏板押え片Ａを係止溝６に対して直角方向に向けた状態では、裏板押え片Ａは係止溝６に沿ってなめらかに滑動するが、図８に示されるように、裏板押え片Ａを係止溝６と同じ方向に向けた状態では、裏板押え片Ａはブレーキがかかり、なめらかな滑動ができなくなる。このため、裏板押え片Ａを係止溝６に嵌め込む際、図８のように、係止溝６と同じ方向に嵌め込むのでは裏板押え片Ａはなめらかな滑動ができないため、図９に示されるように係止溝６と直角方向に嵌め込まなければならず、額の製造が厄介になる。
【特許文献１】特開平９−３１３３１７
【発明の開示】
【発明が解決しようとする課題】
【０００７】
そこで、本発明の目的は特に、方向を９０度回転してもなめらかに滑動し、このため押え具の額縁への嵌め込みが容易となって額の製造が容易になり、上述の公知技術に存する欠点を改良した額の裏板押え具を提供することにある。
【課題を解決するための手段】
【０００８】
上述の目的を達成するため、本発明によれば、額縁裏側の両縁から対向して立ち上がった立ち上がり片と、この立ち上がり片の両先端を内側に折り曲げてなる両端片とによって囲まれて形成された係止溝に嵌め込んで額縁に取り付けられ、額裏板を押える額の裏板押え具であって、押え基部と、この押え基部から横方向に伸長された押え片と、押え基部裏面に連結片を介して連結された係止片とを備え、係止片を係止溝に嵌め込んで額縁に取り付ける額の裏板押え具において、前記係止片の頂面にそれぞれ、押え片に沿った突起片およびこの押え片とは直角方向に対称の突起片が交差して設けられ、かつこれら突起片と、押え基部裏面との間にはすき間が形成されてなり、このすき間に立ち上がり片の両端片を嵌め込むことにより係止片を係止溝に取り付けることを特徴とする。
【発明の効果】
【０００９】
上述構成からなる本発明の額に裏板押え具は係止片の頂面に押え片に沿った突起片およびこの押え片とは直角方向に対称の突起片が交差して設けられ、かつこれら突起片と、押え基部裏面との間にすき間が形成され、このすき間に立ち上がり片先端の折り曲げられた両端片を嵌め込むことにより、係止片を係止溝に取りつけるようにしたから、押え片の方向を９０度回転してもなめらかに滑動し、このため押え具の額縁への嵌め込みが容易であり、額の製造が容易となるという効果を奏し得るものである。
【発明を実施するための最良の形態】
【００１０】
以下、本発明を添付図面を用いて詳述する。
【００１１】
図１は本発明にかかる額の裏板押え具の一具体例の斜視図である。図２はその側面図である。図３は図１の３―３線断面図である。図４は図３の４−４線断面図である。図５は図３の５−５線断面図である。図６は本発明にかかる額の裏板押え具を係止溝中に、押え片が係止溝に対して直角に挿入したときの部分断面図である。図７は本発明にかかる額の裏板押え具を係止溝中に、押え片が係止溝と同じ方向に挿入したときの部分断面図である。図８は本発明にかかる額の裏板押え具を押え片が係止溝と同じ方向になるように挿入して該押え具を額縁に取りつけたときの平面図である。図９は図８のように取りつけられた押え具を、押え片が係止溝と直角になるように回転して裏板を押えつけたときの平面図である。
【００１２】
図１〜図３において、本発明にかかる額の裏板押え具Ａは押え基部１と、この押え基部１から横方向に伸長された押え片２と、押え基部１の裏面３に連結片４を介して連結された係止片５とを備えて構成される。
【００１３】
上述構成からなる本発明押え具Ａは図６〜図９に示されるように、係止片５を、額縁７の裏側７ａの両端１２，１２から対向して立ち上がった立ち上がり片１５，１５と、これら立ち上がり片１５，１５の両先端を内側に折り曲げてなる両端片１３，１３とによって囲まれて形成された係止溝６に嵌め込んで額縁７に取りつけられ、額８の裏板９を押える。
【００１４】
本発明の特徴は図１〜図５に示されるように、係止片５の頂面１０にそれぞれ、押え片２に沿った突起片１１および押え片２とは直角方向に対称の突起片１１ａを交差して設けたことに存する。この場合、突起片１１，１１ａはそれぞれ連結片４をはさんで交差する。さらに、これら突起片１１，１１ａと、押え基部１の裏面３との間にすき間１４を形成したことに存する。
【００１５】
上述の本発明にかかる押え具Ａは図６および図７に示されるように、すき間１４に立ち上がり片１５，１５の両端片１３，１３を嵌め込むことにより係止片５を係止溝６に取りつける。
【産業上の利用可能性】
【００１６】
上述の本発明にかかる額の裏板押え具は係止片の頂面に押え片に沿った突起片、およびこの押え片とは直角方向に対称の突起片を交差して設け、かつこれら突起片と、押え基部裏面との間にすき間を形成し、このすき間に立ち上がり片先端の折り曲げられた両端片を嵌め込むことにより係止片を係止溝に取りつけるようにしたから、押え片の方向を図６〜図９に示されるように、係止溝に沿った方向から係止溝に直角の方向に９０度回転しても、あるいはこの逆に回転しても、すき間に嵌め込まれた端片は常に突起片１１ないしは突起片１１ａのいずれかに載置しており、このため、係止片は係止溝内を常になめらかに滑動する。
【００１７】
したがって、本発明にかかる裏板押え具の係止片を額縁の係止溝に嵌め込むときには、図７，８に示されるように、押え片を係止溝に沿った方向に嵌め込んでも滑らかに滑動するので、取りつけ作業が容易になり、また、裏板を押え込むときには、図６，９に示されるように押え片を９０度回転した状態でも滑らかに滑動するので、裏板押え具を好みの位置に容易に移動できる。
【００１８】
以上のとおり、本発明にかかる額の裏板押え具は額縁への嵌め込みが容易であり、このため、額の製造が容易となり、かつ使用時の取り扱いも容易となり、このため産業上の利用性が極めて高い。
【図面の簡単な説明】
【００１９】
【図１】本発明にかかる額の裏板押え具の一具体例の斜視図である。
【図２】図１のその側面図である。
【図３】図１の３―３線断面図である。
【図４】図３の４−４線断面図である。
【図５】図３の５−５線断面図である。
【図６】本発明にかかる額の裏板押え具を係止溝中に、押え片が係止溝に対して直角に挿入したときの部分断面図である。
【図７】本発明にかかる額の裏板押え具を係止溝中に、押え片が係止溝と同じ方向に挿入したときの部分断面図である。
【図８】本発明にかかる額の裏板押え具を押え片が係止溝と同じ方向になるように挿入して該押え具を額縁に取りつけたときの平面図である
【図９】図８のように取りつけられた押え具を、押え片が係止溝と直角になるように回転して裏板を押えつけたときの平面図である。
【符号の説明】
【００２０】
Ａ  額の裏板押え具
１  押え基部
２  押え片
３  裏面
４  連結片
５  係止片
６  係止溝
７  額縁
７ａ  額縁裏側
８  額
９  裏板
１０  頂面
１１  突起片
１１ａ  突起片
１２  縁
１３  端片
１４  すき間
１５  立ち上がり片
【図１】
2005253502.tif 000003
【図２】
2005253502.tif 000004
【図３】
2005253502.tif 000005
【図４】
2005253502.tif 000006
【図５】
2005253502.tif 000007
【図６】
2005253502.tif 000008
【図７】
2005253502.tif 000009
【図８】
2005253502.tif 000010
【図９】
2005253502.tif 000011